(57)【要約】  【課題】  使用者が簡単に環境（気温）に応じた最適な室温の温度設定（推奨設定温度）が行え、空気調和機の省エネ運転が可能となり、また設定温度の再設定を行う頻度を低減出来ることにより、使用時における操作性の向上を図れる空気調和機を提供する。  【解決手段】  空気調和機本体を運転操作するリモコンに、室温を設定するキー操作部と温度を表示する表示部とを備え、空気調和機本体に室温を検出する室温検出部と、外気温を検出する外気温検出部と、キー操作部により設定される温度設定部と、検出された室温と外気温を基に設定された設定温度とのデータの履歴を記憶する記憶部とを備え、空気調和機の運転開始後、現在の検出された室温と外気温と、記憶部に蓄積されたこれら検出温度に対する設定温度の蓄積データにより、室内の推奨設定温度を算出する。  【選択図】図２
2006057908.tif 000002
【特許請求の範囲】
【請求項１】
空気調和機本体を運転操作する操作部と、温度を表示する表示部と、室温を検出する室温検出部と、外気温を検出する外気温検出部と、前記操作部により設定される温度設定部と、前記検出された室温と外気温と、これを基に設定された設定温度とのデータの履歴を記憶する記憶部とを備え、
前記空気調和機の運転開始後、現在の検出された室温と外気温と、前記記憶部に蓄積された蓄積データとにより、室内の推奨設定温度を算出してなることを特徴とする空気調和機。
【請求項２】
前記推奨設定温度は、過去の各室温と外気温に対する複数の蓄積データの平均値により求めてなることを特徴とする請求項１に記載の空気調和機。
【請求項３】
前記蓄積データは、古い順に削除するよう更新してなることを特徴とする請求項１または２に記載の空気調和機。
【請求項４】
前記推奨設定温度と当初設定された設定温度との差異状況を、前記空気調和機本体に設けられた表示部に表示してなることを特徴とする請求項１乃至３記載の空気調和機。
【請求項５】
前記推奨設定温度を前記空気調和機本体から、運転操作を行うリモコン側へ送信し、同リモコンに設けられた表示部に表示してなることを特徴とする請求項１乃至３記載の空気調和機。
【発明の詳細な説明】
【技術分野】
【０００１】
本発明は、空気調和機の温度制御に係わり、より詳しくは、現在の室温、外気温の検出データより、過去の室温、外気温及び設定温度に関する蓄積データとの比較により、室温の「推奨設定温度」を求め、使用者が最適な温度設定を行い、かつ省エネルギー効果を高めるための制御に関する。
【背景技術】
【０００２】
従来の空気調和機の温度制御に関する室温の設定温度の決定は、ユーザの「体感温度」や「過去の経験／感」によるものであり、日々あるいは時間とともに変化する気温に対する適切な設定温度の選択が難しかった。
そのため、不用意に室内を暖め過ぎたり（暖房時）、冷し過ぎたり（冷房時）することがしばしばあり、またこのことが原因で設定温度の変更を幾度となく行う必要があった。また、気温に応じた適切な設定温度を選択出来ないことから、省エネ運転が容易に行えなかった。
また、最近の機種は、運転の種類と設定温度を自動的に選び運転を始めるものが殆どであるが、これらは体感温度の個人差のバラツキをカバーすることができない。
【０００３】
また、室内外の環境の状態および人体の状態を検出し、人間の快適感を満たすように空気調和を行うために、例えば、図６に示すような空気調和機の制御装置が知られている（例えば、特許文献１参照。）。
図６において、１ａは室外温度センサ、１ｂは吸い込み温度センサ、１ｃは人体温度センサであり、２ａは室外温度センサ１ａが出力する室外温度、２ｂは吸い込み温度センサ１ｂが出力する吸い込み温度、２ｃは人体温度センサ１ｃが出力する人体温度である。
なお、人体温度センサ１ｃは、たとえば人体が放出する赤外線を検出する焦電型赤外線センサなどで実現できる。また、６ａはリモコンまたは操作パネル６における風量設定部、６ｂは同じく温度設定部である。７ａと７ｂは、それぞれリモコンまたは操作パネル６で使用者が入力した設定風量と設定温度である。また、１１は快適度推測値ＰＭＶ（予測平均投票数ＰredictedＭean Ｖote ）である。
【０００４】
上記構成においてその動作を説明する。空気調和機１４が備えているセンサ手段１における複数のセンサ、すなわち室外温度センサ１ａ、吸い込み温度センサ１ｂ、人体温度センサ１ｃから、それぞれセンサ信号２ａ，２ｂ，２ｃが神経回路網模式手段（推測手段）１０に出力されるとともに、センサ信号３として記憶手段４に入力されて過去Ｎ秒間（Ｎは正の実数）の履歴として記憶される。記憶手段４からは前記履歴が神経回路網模式手段１０に出力され、たとえば吸い込み温度のＮ秒間隔の傾斜５は室内温度の時間的な変化率から空気調和の負荷量を与える。操作パネル６からは設定風量７ａと設定温度７ｂ、左右偏向羽根の位置センサ８から位置信号９が神経回路網模式手段１０に出力される。
【０００５】
以上のように、室内外の環境の状態および人体の状態を検出するセンサ手段と、前記センサ手段が検出した状態の履歴を記憶する記憶手段と、使用者が温度や風量などを設定する設定手段と、風向を偏向する左右偏向羽根の位置を検出する位置検出手段と、前記センサ手段と前記記憶手段と前記設定手段と前記位置検出手段の各出力に基づいて室内に居る人間の快適感（ＰＭＶ）を推測する推測手段と、前記推測した快適感に対応して空気調和機を制御する制御信号を生成する制御信号生成手段とを備えたことにより、室内の環境と人間の状態とを考慮して人間の快適感を満たすように空気調和を実行し、快適な生活環境を実現することができる。
しかしながら、上記構成の場合、制御回路の構成が複雑であり、使用者の設定手段等も煩雑で、気温に応じた適切な設定温度を選択することが難しいと思われる。そこで、制御回路が簡略で、使用者が簡単に最適な室温の温度設定（推奨設定温度）を行える方法が望まれていた。
【０００６】
【特許文献１】特開平８−１８９６８４号公報（第３〜８頁、第２図）
【発明の開示】
【発明が解決しようとする課題】
【０００７】
本発明は上記の問題点に鑑み、使用者が簡単に環境（気温）に応じた最適な室温の温度設定（推奨設定温度）を行い、また設定温度の再設定を行う頻度を低減出来ることによって、空気調和機使用時における操作性の向上となると共に、暖房時の「暖め過ぎ」及び冷房時の「冷し過ぎ」の抑制により、省エネルギー効果を高め、かつ健康的な空調が可能となる空気調和機を提供することを目的とする。
【課題を解決するための手段】
【０００８】
本発明は上述の課題を解決するため、空気調和機本体を運転操作する操作部と、温度を表示する表示部と、室温を検出する室温検出部と、外気温を検出する外気温検出部と、前記操作部により設定される温度設定部と、前記検出された室温と外気温と、これを基に設定された設定温度とのデータの履歴を記憶する記憶部とを備え、
前記空気調和機の運転開始後、前記検出された室温と外気温と、前記記憶部に蓄積された蓄積データとにより、室内の推奨設定温度を算出してなる構成となっている。
【０００９】
また、前記推奨設定温度は、過去の各室温と外気温に対する複数の蓄積データの平均値により求めてなる構成となっている。
【００１０】
また、前記蓄積データは、古い順に削除するよう更新してなる構成となっている。
【００１１】
また、前記推奨設定温度と当初設定された設定温度との差異状況を、前記空気調和機本体に設けられた表示部に表示してなる構成となっている。
【００１２】
また、前記推奨設定温度を前記空気調和機本体から、運転操作を行うリモコン側へ送信し、同リモコンに設けられた表示部に表示してなる構成となっている。
【発明の効果】
【００１３】
本発明によれば、空気調和機本体に室温及び外気温を検出する室温検出部及び外気温検出部と、検出された室温と外気温を基に設定された設定温度とのデータの履歴を記憶する記憶部とを備え、空気調和機の運転開始後、検出された室温と外気温と、これら検出温度に対する設定温度の過去の蓄積データにより、室内の推奨設定温度を求めてなる構成とすることによって、使用者が簡単に環境（気温）に応じた最適な室温の温度設定（推奨設定温度）を行え、空気調和機の省エネ運転が可能となり、また設定温度の再設定を行う頻度を低減出来ることによって、空気調和機使用時における操作性の向上となると共に、暖房時の「暖め過ぎ」及び冷房時の「冷し過ぎ」の抑制により、健康的な空調が可能となる。
【発明を実施するための最良の形態】
【００１４】
以下、本発明の実施の形態を、添付図面に基づいた一実施例として詳細に説明する。
図１は、本発明の一実施例を示すブロック図である。図１において、空気調和機本体を動作させるときに使うリモコン１は、リモコン１側から必要な情報をキー操作部１ａにより所望するモードのキーを押すことによってリモコン制御部１ｃを通って表示部１ｄに表示される。またキー操作部１ａからの信号は、リモコン制御部１ｃを通ってリモコン送信部１ｅより室内機２のリモコン信号受信部２ｂへ送られる。当該信号をリモコン信号受信部２ｂが受け、室内機制御部２ｃに読み込まれて、電源の入切や冷房・暖房の切り換え、温度設定、タイマー設定等の動作を行っている。
つまり、室内機２の室内機制御部２ｃは受信部である室内機２のリモコン信号受信部２ｂからの信号を受けて所定の動作モードを実行する。一方で室内機２の室内機制御部２ｃには、室温センサ２ａからの室内温度情報及び外気温センサ３ａからの温度情報が室外機制御部３ｃより室内機制御部２ｃへデータ情報が集まる。今までの空気調和機本体は、リモコン１から室内機２への一方向への通信であったが、さらに双方向通信を行うことによって手元で操作をしているリモコン１の表示部１ｄに室内機２の情報を表示させることを可能にし、上記課題を解決させる。
【実施例１】
【００１５】
以下、本発明の実施例１について詳細に説明する。図１において、リモコン１は、リモコン制御部１ｃを中心に、ディスプレイ表示を行う表示部１ｄと空気調和機への動作指示を行うためのキー操作部１ａ、室内機２へ信号を出すリモコン送信部１ｅおよび、室内機２からの信号を受ける室内機信号受信部１ｂが接続され、双方向通信ができるようになされている。
【００１６】
空気調和機本体は、室内機２と室外機３より構成され、それぞれの制御部２ｃ、３ｃはケーブルにより接続されている。室外機制御部３ｃには、室外の温度を読みとる外気温センサ３ａが接続されており、室内機制御部２ｃには、室内の温度を読みとる室温センサ２ａと、温度や運転モードを表示する表示部２ｄと、リモコン１と双方向通信を行うためのリモコン信号受信部２ｂおよび室内機送信部２ｅとが接続されている。また、室内機制御部２ｃと室外機制御部３ｃ間は、シリアル通信等で接続されている。
【００１７】
また、前記室内機制御部２ｃには、前記キー操作部１ａにより設定される温度設定部２ｆと、前記検出された室温と外気温と、これを基に設定された設定温度とのデータの履歴を記憶する記憶部２ｇとが備えられている。
【００１８】
次に、上記構成の制御方法の動作を図２のフローチャートを参照して説明する。
図２（Ａ）のリモコン側の制御において、まず、ステップST１および２で室内機送信データを読込み、ステップST３でキー入力有るか判断され、有ればステップST3'でキー入力処理がなされ、ステップST４でリモコンによる各設定モード、即ち、設定温度／運転モード／風量モード／タイマーモードなどの確定が行われる。そして、ステップST５でリモコン表示部へ、推奨設定温度／現状の設定温度／運転モード／風量モード／タイマーモードなどの表示が行われ、ステップST６で本体に送信するか判断され、よければ送信される（ステップST７）。
【００１９】
また、図２（Ｂ）の空気調和機本体側の制御において、冷房または暖房で本体が運転開始されると、まず、ステップST８で室温が検出され、ステップST９で外気温が検出される。次にステップST１０で前記記憶部２ｇにメモリーされている過去の蓄積データから検出した室温、外気温を基に推奨設定温度を抽出する。そして、ステップST１１および１２でリモコン送信データを読込み、ステップST１３で「推奨設定温度」を算出する。次に、ステップST１４で、前記「推奨設定温度」または、「推奨設定温度」に対する現在の設定温度との比較を室内機表示部２ｄに表示（低め／同温／高め、又は実際の温度）し、同時にリモコンへ「推奨設定温度」を送信（ST１５）し、ステップST１６で、通常のサーモコントロールによる運転制御を行い、ステップST８に戻る。
【００２０】
図３は冷房運転時における、外気温と室温に対する設定温度の具体的な一実施例を示したもので、図３（Ａ）は同一人間が過去に設定した設定温度の蓄積データで、例えば、外気温と室温が同一でもその時の環境条件により、設定温度が異り複数の蓄積データとなる場合がある（図３の太線枠）。この場合は、平均値もしくは最も多い設定温度を「推奨設定温度」として算出する。
また、図３（Ｂ）は異なる複数の人間、Ａ、Ｂ、Ｃの３氏が設定した蓄積データで、それぞれ異なる設定温度となる。この場合は、平均値もしくは中間の設定温度のＢ氏の設定値を「推奨設定温度」として算出する。
また、前記蓄積データは、古い順（例えば、３年前のデータ）に削除するよう更新してなる構成とし、最新データを推奨設定温度として用いるようにする。
【実施例２】
【００２１】
本発明における実施例２のブロック図を図４に示す。実施例１との違いは、室温センサ１ｈと記憶部１ｇとをリモコン側に設けたもので、実質的な動作は実施例１と同じであり省略する。
【実施例３】
【００２２】
本発明における実施例３のブロック図を図５に示す。前記実施例１では、リモコン１から室内機２への通信が双方向通信であったが、実施例３はリモコン１から室内機２へ一方通信としたものである。この場合、「推奨設定温度」の表示がリモコン１の表示部１ｄに表示できないため、図２のフローチャートのステップST１４に示すように、室内機表示部
に表示できるようにしたものである。その他の実質的な動作は実施例１と同じであり省略する。
【００２３】
以上に説明したように、前記空気調和機本体に室温を検出する室温検出部と、外気温を検出する外気温検出部と、前記検出された室温と外気温と、これを基に設定された設定温度とのデータの履歴を記憶する記憶部とを備え、前記空気調和機の運転開始後、現在の検出された室温と外気温と、前記記憶部に記憶された設定温度の過去の蓄積データにより、室内の推奨設定温度を求めてなる構成とすることによって、使用者が簡単に環境（気温）に応じた最適な室温の温度設定（推奨設定温度）を行え、空気調和機の省エネ運転が可能となり、また設定温度の再設定を行う頻度を低減出来ることによって、空気調和機使用時における操作性の向上となると共に、暖房時の「暖め過ぎ」及び冷房時の「冷し過ぎ」の抑制により、健康的な空調が可能となる。
【図面の簡単な説明】
【００２４】
【図１】本発明の第一の実施例における空気調和機の制御方法の構成を示すブロック図である。
【図２】本発明における空気調和機の制御方法を説明するフローチャートである。
【図３】本発明における外気温と室温に対する設定温度の蓄積データの一実施例を示したもので、（Ａ）は同一人間が過去に設定したデータで、図３（Ｂ）は異なる複数の人間が過去に設定したデータである。
【図４】本発明の第二の実施例における空気調和機の制御方法の構成を示すブロック図である。
【図５】本発明の第二の実施例における空気調和機の制御方法の構成を示すブロック図である。
【図６】従来例による空気調和機の制御装置の構成を示すブロック図である。
【符号の説明】
【００２５】
１    リモコン
１ａ  キー操作部
１ｂ  室内機信号受信部
１ｃ  リモコン制御部
１ｄ  表示部
１ｅ  リモコン送信部
１ｆ  温度設定部
１ｇ  記憶部
１ｈ  室温センサ
２    室内機
２ａ  室温センサ
２ｂ  リモコン信号受信部
２ｃ  室内機制御部
２ｄ  表示部
２ｅ  室内機送信部
２ｆ  温度設定部
２ｇ  記憶部
３    室外機
３ａ  外気温センサ
３ｃ  室外機制御部
【図１】
2006057908.tif 000003
【図２】
2006057908.tif 000004
【図３】
2006057908.tif 000005
【図４】
2006057908.tif 000006
【図５】
2006057908.tif 000007
【図６】
2006057908.tif 000008